(57)【要約】 【課題】  中堀式立坑構築工法において、テレスコピック式のクラムシエルや専用堀削機を用いて中堀、排土する際に、バケットの昇降や、堀削時に立坑構築ブロックの内面を損傷させることがなく、しかも円滑にバケットの昇降を行うことが出来る中堀式立坑構築工法とその実施に有用な内面保護用内管を提供する。【解決手段】立坑構築ブロックＡの内側に端部口縁の外側に緩衝材付のフランジ継手９を設けた複数の単位ケーシング２ａ〜２ｆを接続して成る内面保護用内管Ｂを内装し、その下端に前記立坑構築ブロックＡの外径よりも外径が大きい刃口６を装着し、自重及び圧入装置５で圧入力を加えながら中堀して立坑構築ブロックＡを内面保護用内管Ｂと共に所定位置まで沈設した後、前記内面保護用内管Ｂを抜く。【選択図】図１
2018096038.tif 000002
【特許請求の範囲】
【請求項１】
立坑構築ブロックの内側に、端部口縁の外側に緩衝材付フランジ継手を設けた複数の単位ケーシングを接続して成る内面保護用内管を内装し、その下端に前記立坑構築ブロックの外径よりも外径が大きい刃口を装着し、自重及び圧入装置で圧入力を加えながら中堀して立坑構築ブロックを内面保護用内管と共に所定位置まで、沈設した後、前記内面保護用内管を抜くことを特徴とする中堀式立坑構築工法。
【請求項２】
外側に設けたフランジ継手で一体として縦割り２分割の適数の単位ケーシングを端部口縁の外側に設けたフランジ継手で接続し、前記フランジ継手に緩衝材を設けたことを特徴とする内面保護用内管。
【発明の詳細な説明】
【技術分野】
【０００１】
本発明は、下水道の推進工事に用いられる立坑や下水道マンホールさらにポンプ室マンホール等の構築方法、特に中堀式沈設立坑の構築工法とその実施の際に用いる内面保護用内管に関するものである。
【背景技術】
【０００２】
立坑構築ブロックはコンクリート製が一般的であるが、近年、下水の汚泥や汚水中に含まれる硫黄含有タンパク質が腐敗菌により分解されて発生する硫化水素の量が増大している状況から、下水道の長寿命化対策として、マンホールとしては実績のある内面腐食に強い耐酸性に優れるレジンコンクリート製ブロックでの中堀式沈設立坑構築が求められている。
【０００３】
いずれの立坑構築ブロックも、沈設立坑の構築工法として中堀式構築方法で沈設させる場合、中堀堀削の堀削機のバケットを昇降させる際やバケットで堀削する際に立坑構築ブロックの内面を傷付けてしまう。
【０００４】
傷付けられた内面は沈下設置完了後、適切な補修材を用いて補修するが、コンクリート製ブロックの場合は、傷付けられた跡を補修することは可能であるが、レジン製ブロックの場合は、適切な補修材がなく、補修が難しい。
【先行技術文献】
【特許文献】
【０００５】
【特許文献１】特開平６−１１７１７６号公報
【特許文献２】特開平７−１８０１６０号公報
【特許文献３】特開平１１−１９０１８８号公報
【発明の概要】
【発明が解決しようとする課題】
【０００６】
そこで、本発明は、中堀式立坑構築工法において、テレスコピック式のクラムシエルや専用堀削機を用いて中堀、排土する際に、バケットの昇降や、堀削時に立坑構築ブロックの内面を損傷させることがなく、しかも円滑に バケットの昇降を行うことが出来る中堀式立坑構築工法とその実施に有用な内面保護用内管を提供しようとするものである。
【課題を解決するための手段】
【０００７】
本発明は、上記の課題を解決するためになされたもので、請求項1記載の発明は、立坑構築ブロックの内側に、端部口縁の外側に緩衝材付フランジ継手を設けた複数の単位ケーシングを接続して成る内面保護用内管を内装し、その下端に前記立坑構築ブロックの外径よりも外径が大きい刃口を装着し、自重及び圧入装置で圧入力を加えながら中堀して立坑構築ブロックを内面保護用内管と共に所定位置まで、沈設した後、前記内面保護用内管を抜くことを特徴とする中堀式立坑構築工法である。
【０００８】
請求項２記載の発明は、外側に設けたフランジ継手で一体として縦割り２分割の適数の単位ケーシングを端部口縁の外側に設けたフランジ継手で接続し、前記フランジ継手に緩衝材を設けたことを特徴とする内面保護用内管である。
【発明の効果】
【０００９】
請求項１記載の本発明によれば、堀削機の堀削バケットの昇降、堀削、排土時に立坑構築ブロックの内面が内面保護用内管によって保護されているため、立坑構築ブロックの内面を損傷させることがなく、施工後の内面補修等の作業が不要となる。また、内面保護用内管の内面には突出物がないので、円滑に中堀作業を行うことが出来る。
【００１０】
従って、コンクリート製立坑構築ブロックは勿論のこと、内面補修の難しいレジンコンクリート製の立坑構築ブロックの沈設構築工法として優れた構築方法である。
【００１１】
請求項２記載の本発明によれば、外側に設けたフランジ継手が補強リブの働きをし、剛性を高め、従って内面保護用内管を薄肉のものにすることができる。
【図面の簡単な説明】
【００１２】
【図１】本発明実施例の縦断面図である。
【図２】本発明実施例における単位ケーシングの拡大斜視図である。
【図３】本発明実施例における単位ケーシングの接続部の状態を示すもので、（ａ）は拡大縦断面図、（ｂ）は緩衝材の斜視図である。
【図４】本発明実施例において、２段目の単位ブロックを接続した場合の内面保護用内管の状態を示す拡大縦断面図である。
【発明を実施するための形態】
【００１３】
以下に説明する実施例は、内径が９００ｍｍ〜３０００ｍｍ程度の円形断面の立坑構築ブロックを沈設する場合を示すものであるが、円形断面に限らず、楕円、多角形断面等の筒状立坑構築ブロックの場合にも本発明を適用することが出来ることは勿論である。
【実施例】
【００１４】
図１において、Ａは円筒状の単位ブロック１ａ，１ｂ，１ｃを３段に接続した立坑構築ブロック、Ｂは単位ケーシング２ａ，２ｂ，２ｃ，２ｄ，２ｅ，２ｆを６段に接続した内面保護用内管、Ｃはゴム等の弾性材を用いた緩衝材で、立坑構築ブロックＡと内面保護用内管Ｂは同じ長さに作られている。
【００１５】
３は、土留兼用筒状ライナープレート、４は曲がり防止ガイド、５，５はジャッキ式の圧入装置、６は立坑構築ブロックの外径よりも外径の大きい刃口、７はテレスコピック式のクラムシエル、８はその堀削バケットである。
【００１６】
図２は、単位ケーシングの拡大斜視図を示すもので、縦割り２分割式に構築され、外側に設けたフランジ継手９，９をボルト１０及びナット１１で結合して円筒状の単位ケーシングとしている。そしてこの単位ケーシングの上下口縁の外側には、適数のボルト孔１２を設けたフランジ継手１３，１３が設けられていて、例えば図３（ａ）に示すように、上下単位ケーシング２ａと２ｂをボルト１４及びナット１５で、Ｌ字状の緩衝材Ｃと共に接続する。なお、１６はアイボルトで、単位ケーシングの吊下げや、前記内面保護用内管Ｂの吊り上げ時にボルト孔１２に装着して使用される。
【００１７】
以上のように構成された単位ケーシングは、フランジ継手９，９，１３，１３が、補強リブの働きをし、従って単位ケーシングを薄肉のものにすることが出来る。実施例では鋼製ケーシングとしたが、硬質プラスチックでもよい。
【００１８】
図４は、２段目の単位ブロックを接続した場合の内面保護用内管Ｂの状態を示す拡大縦断面図で、接続作業の手順を説明すると次の通りである。
【００１９】
まず、刃口６上に単位ケーシング２ａ，２ｂ，２ｃを上記のような要領で接続したものを載置する。次に１段目の単位ブロック１ａをその外側に吊り下げて、堀削機、ここではクラムシエル７で堀削して自重及び圧入装置５により沈下させた後、単位ケーシング２ｃに単位ブロック１ｂをその外側に吊り下げる。そして、次に単位ブロック１ｂを１段目の単位ブロック１ａと連結し、堀削して沈下させる。
【００２０】
単位ブロック１ａと１ｂの連結は、単位ブロック間を接着剤で接着すると共に、連結プレート１７を４本のボルト１８，１８，１８，１８でしっかりと固定する。単位ブロックの吊り下げには連結プレート１７を利用して行われる。
【００２１】
単位ブロックを吊り下げて設置する場合、予め接続した単位ケーシングの長さを長くしておくのは、次段の単位ブロックを接続しようとする場合、次段の単位ケーシング２ｅの接続が出来なくなるからである。
【００２２】
実施例では、図１に示したように３段目の最後の単位ブロック１ｃを２段目の単位ブロック１ｂに接続した後、クラムシエル７で中堀し、自重及び圧入装置５，５で所定位置まで沈下させた後、単位ケーシング２ａ〜２ｆを接続して成る内面保護用内管Ｂを吊り上げて撤去する。内面保護用内管Ｂを一度に撤去できない場合は、単位ケーシング２ａ〜２ｆの連結を外しながら引き抜く。その時は、連結を外す下段の単位ケーシングの上部フランジを沈設ブロック上端部に渡したアングル等で支え、下段の単位ケーシングが落下しない状態にしてから連結を外すようにする。撤去した内面保護用内管Ｂは立坑工事において再利用可能であり、単位ケーシングは縦割り２分割形式であるため、分解すれば、狭い場所に保管することができ、使い勝手に優れている。
【００２３】
以上のように本発明に係る中堀式沈設工法は、中堀施工時に外側に緩衝材を設けた内面保護用内管Ｂを立坑構築ブロックＡ内に配置した状態で中堀する工法であるため、中堀堀削時に堀削バケットで立坑構築ブロックＡの内面を損傷させることがない。また内面保護用内管Ｂの内面には突出物がないので堀削バケットを円滑に昇降させることが出来るとともに、内面保護用内管Ｂを毀損させることがなく、実用上中堀式沈設工法として有用な優れた工法である。
【００２４】
また本発明に係る実施例の内面保護用内管Ｂは、単位ケーシング２ａ〜２ｆを縦割り２分割形式とし、外側に設けたフランジ継手によって結合、連結する構造であるため、フランジ継手の補強リブ作用により、内面保護用内管Ｂの強度を大きくし、肉薄にすることが出来る実益がある。また分解することが出来るので、広い収納場所を必要とせず管理に便利である。
【００２５】
更にフランジ継手に緩衝材Ｃを取付けるので、フランジ継手によって、立坑構築ブロックの内面を傷付ける虞がない。
【００２６】
なお、実施例では緩衝材ＣとしてＬ状のものを取付けるようにしたため、先に単位ケーシングを刃口６上に載置する手順を採ったが、緩衝材Ｃをコ状とすれば、１段目の単位ブロックを刃口上に載置してから、単位ケーシングを単位ブロック内に嵌挿する手順にすることが出来る。
【符号の説明】
【００２７】
Ａ                                    立坑構築ブロック
Ｂ                                    内面保護用内管
Ｃ                                    緩衝材
１ａ，１ｂ，１ｃ                      単位ブロック
２ａ，２ｂ，２ｃ，２ｄ，２ｅ，２ｆ    単位ケーシング
３                                    土留兼用筒状ライナープレート
４                                    曲がり防止ガイド
５                                    圧入装置
６                                    刃口
７                                    クラムシエル
８                                    堀削バケット
９，１３                              フランジ継手
１０，１４，１８                      ボルト
１１，１５                            ナット
１２                                  ボルト孔
１６                                  アイボルト
１７                                  連結プレート
【図１】
2018096038.tif 000003
【図２】
2018096038.tif 000004
【図３】
2018096038.tif 000005
【図４】
2018096038.tif 000006